(57)【要約】      （修正有）【課題】容器内の米を容易に攪拌して研ぐことが可能な米研ぎ具を提供すること。【解決手段】米研ぎ具１では、米研ぎ作業を行う際に、米保持部１２の平坦状部分が容器の内側底面に密着するように米の中に差し込み、米を攪拌部１３の網の目で抑え付ける様にしてかき混ぜて攪拌する作業を繰り返し行う。米のみが攪拌されて押圧力が直接伝わり、米が抑え付けられた状態で攪拌部１３の網とこすれてもみ洗いされて表面からヌカやゴミが取り除かれる。米が容器の中で発生した水流で流動して押圧力が伝わらず十分にもみ洗いできないことがなく、米を容易に攪拌して効果的に研ぐことができる。また、米保持部１２の平坦状部分が容器の内側底面に密着するので、米が割れて崩れてしまうことがなく、研ぐことが可能となる。【選択図】図１
0003120786.tif 000002
【実用新案登録請求の範囲】
【請求項１】
容器内に収容した炊飯前の米を研ぐための米研ぎ具において、
使用者が握って持つための柄部と、
前記容器内に収容した炊飯前の米を攪拌して研ぐための攪拌部が形成された米保持部とを備えたことを特徴とする米研ぎ具。
【請求項２】
請求項１に記載の米研ぎ具において、
前記攪拌部は、前記米保持部に開けられた開口部に、網の目の間隔が米粒の横方向の幅よりも小さい網を設けて形成されていることを特徴とする米研ぎ具。
【請求項３】
請求項２に記載の米研ぎ具において、
前記攪拌部に設けられた網の目の線が交差する交差部分に、垂直に突起する突起部が形成されていることを特徴とする米研ぎ具。
【請求項４】
請求項１乃至３のうちのいずれか一項に記載の米研ぎ具において、
前記米保持部の外縁部分を取り囲む弾性部材を備えたことを特徴とする米研ぎ具。
【考案の詳細な説明】
【技術分野】
【０００１】
本考案は、容器内に収容した炊飯前の米を研ぐための米研ぎ具に関する。
【背景技術】
【０００２】
従来より、米を炊飯する際には、予め米粒の表面に付着しているヌカやゴミを取り除くため米研ぎ作業が行われていた。この米研ぎ作業は、計量された米を米びつ等の容器やざるに入れ、水を注ぎながら米を手でもみ洗いし、米からヌカやゴミが取り除かれて白く濁った水を代えながらすすぐという作業を、ヌカやゴミで水が濁らなくなるまで繰り返している。しかしながら、このような米研ぎ作業は、作業者が手を水に浸すため、冬場のように水温が低い時期には、手が濡れて冷たくなりしびれる程の感触を受け、皮膚にあかぎれなどの障害を生じることがあった。また、爪にマニキュアなどをしている場合このマニキュアが水中に剥がれることがあり、これにより水が汚れたりすることもあった。
【０００３】
これらのことに対応するために、以下の特許文献１に記載された米研ぎ具では、把持柄の一端に、表面に多数の突起を形成した弾性変形可能な球面形状の研ぎ部を連設した米研ぎ具が提案されている。
【０００４】
また、以下の特許文献２に記載された米研ぎ器では、操作棒に取り付けられた保持盤とこの保持盤の下面に形成された複数個の凸状の突起部が形成された押圧部から構成された米研ぎ器が提案されている。
【０００５】
【特許文献１】特開２００２−３３０８７９号公報
【特許文献２】特開２００１−３４６７０１号公報
【考案の開示】
【考案が解決しようとする課題】
【０００６】
しかしながら特許文献１、特許文献２に記載された米研ぎ具、米研ぎ器では、容器内の米を使用者が手で持って攪拌し、もみ洗い等を行おうとすると容器内の水も併せて攪拌することになり、容器の中で渦等の水流が発生して米がこの水流で流動してしまい、米に押圧力を伝わらせてヌカやゴミを取り除くように上手くもみ洗いを行うことができないという問題があった。
【０００７】
また、弾性変形可能な球面形状の研ぎ部や突起部であっても、それらの先端部分等に米が当たって押圧力が加わった場合には、米が割れて崩れてしまうという問題があった。
【０００８】
本考案は、以上のような問題点を鑑みてなされたものであり、その目的とするところは、容器内の米を容易に攪拌して研ぐことが可能な米研ぎ具を提供することにある。
【課題を解決するための手段】
【０００９】
以上の問題点を解決するために請求項１に係る考案は、容器内に収容した炊飯前の米を研ぐための米研ぎ具において、
使用者が握って持つための柄部と、
前記容器内に収容した炊飯前の米を攪拌して研ぐための攪拌部が形成された米保持部とを備えたことを特徴とする。
【００１０】
また、請求項２に係る考案は、請求項１に記載の米研ぎ具において、
前記攪拌部は、前記米保持部に開けられた開口部に網を設けて形成されていることを特徴とする。
【００１１】
請求項３に係る考案は、請求項２に記載の米研ぎ具において、
前記攪拌部に設けられた網の目の線が交差する交差部分に、垂直に突起する突起部が形成されていることを特徴とする。
【００１２】
請求項４に係る考案は、請求項１乃至３のうちのいずれか一項に記載の米研ぎ具において、
前記米保持部の外縁部分を取り囲む弾性部材を備えたことを特徴とする。
【考案の効果】
【００１３】
本考案に係る米研ぎ具によれば、容器内の米を容易に攪拌して研ぐことが可能となる。
【００１４】
請求項１に係る考案によれば、使用者が柄部を持って容器内の米を米保持部により攪拌することで、米が攪拌されて米粒同士の表面がこすれて、ヌカやゴミが取り除かれて容易に研ぐことが可能となる。
【００１５】
請求項２に係る考案によれば、攪拌部は、米保持部に開けられた開口部に網を設けて形成されているので、使用者が柄部を持って容器内の米を米保持部により攪拌することで、容器内に水が入っていても水が攪拌部の網の目を通り抜け、米のみが攪拌されて米粒同士の表面がこすれて、ヌカやゴミが取り除かれて容易に研ぐことが可能となる。また、攪拌部の網の目で米が抑えられ押圧力を与えられて攪拌されるため米が割れて崩れることなく研ぐことができる。
【００１６】
請求項３に係る考案によれば、攪拌部に設けられた網の目の線が交差する交差部分に、垂直に突起する突起部が形成されているので、使用者が柄部を持って容器内の米を米保持部により攪拌することで、容器内に水が入っていても水が攪拌部の網の目を通り抜け、米のみが攪拌されて米粒同士の表面がこすれると共に、突起部とも衝突してこすれて、ヌカやゴミが取り除かれて容易に研ぐことが可能となる。
【００１７】
請求項４に係る考案によれば、米保持部の外縁部分を取り囲む弾性部材を備えているので、使用者が柄部を持って容器内の米を米保持部により攪拌する作業を行い米保持部と容器の内壁面が衝突することがあっても、弾性部材が弾性変形して衝突の衝撃を吸収し、米研ぎ具や容器を傷つけることなく使用できる。
【考案を実施するための最良の形態】
【００１８】
以下、本考案に係る米研ぎ具を実施するための最良の形態を、図面を参照して具体的に説明する。図１は、本考案の第１の実施の形態における米研ぎ具１の構成を示す説明図である。この米研ぎ具１は、使用者が握って持つための柄１１と、食事の際に米びつ等の容器内に収容した炊飯を行った米を所定量分保持して茶碗等に盛るための米保持部１２とが連設して構成されている。
【００１９】
柄１１は、使用者が容易に握って持つことが可能な所定の長さを有する薄板状部材であり、米保持部１２とは反対側の先端部分に壁等のフックに掛けるための穴が設けられている。
【００２０】
米保持部１２は、所定量分の米を載せて保持することができる程度の略円形等の平板状部材であり、その一部の領域には、容器内に収容した炊飯前の米を攪拌して研ぐための攪拌部１３が形成されている。また、米保持部１２の先端部分は平坦状に成形されている。米保持部１２の外縁部分または攪拌部１３の周辺近傍の外縁部分には、この外縁部分を取り囲む弾性部材１２ａが取り付けられている。この弾性部材１２ａは、例えばゴム材料等であり米保持部１２と容器の内壁面との衝突の際に、弾性変形して衝撃を吸収し米保持部１２や容器の内壁面が傷つくことを防ぐようになっている。
【００２１】
攪拌部１３は、米保持部１２の一部の領域に開けられた開口部に網を張って設けて形成されており、この網の目の間隔は米の粒の横方向の幅よりも小さい間隔であり、攪拌部１３により米を攪拌した際には米の粒が網の目に引っ掛かって通り抜けないようになっている。攪拌部１３は、例えば米保持部１２と同様のプラスチック等の材料をそのまま成形して形成され米保持部１２と一体的となっていてもよい。また、米保持部１２と異なる金属等の材料を網の形状に成形したものを開口部に嵌め込んで設けられていても良い。
【００２２】
続いて、本実施の形態における米研ぎ具１の作用について詳細に説明する。炊飯前の食事の準備等を行うときに、容器の中に洗米等が行われていない米が計量され収容されて米研ぎ作業を行う際に、使用者は米研ぎ具１の柄１１を手に持って米保持部１２の先端部分から平坦状部分が容器の内側底面に密着するように米の中に差し込み、米を攪拌部１３の網の目で抑え付ける様にしてかき混ぜて攪拌する作業を繰り返し行う。
【００２３】
すると、水が網の目を通り抜けて攪拌されず、米のみが攪拌されて使用者の押圧力が直接伝わり、米が抑え付けられた状態で米の粒同士や攪拌部１３の網とこすれてもみ洗いされる。米が米の粒同士や網と押圧力が伝わった状態でこすれて表面からヌカやゴミが取り除かれる。米の表面が研磨されて研がれる。
【００２４】
米の表面から取り除かれたヌカやゴミが水に混ざって白く濁ったら、使用者は、容器を流し台等に傾けて米をこぼさないようにして水を捨て、新たに水を加える。このときに、図４に示すように、傾けた容器内面の端から水が流れ落ちる部分に米研ぎ具１の米保持部１２の先端の平坦部分を当てておいて支え、水が攪拌部１３の網を通り抜けて捨てることにより、米がこぼれることを防ぎながら捨てることができる。
【００２５】
以上の作業を米のヌカやゴミが十分に取り除かれて水が白く濁らなくなるまで繰り返し行い、米研ぎ作業を終了する。
【００２６】
このように、本実施の形態における米研ぎ具１では、米研ぎ作業を行う際に、米保持部１２の平坦状部分が容器の内側底面に密着するように米の中に差し込み、米を攪拌部１３の網の目で抑え付ける様にしてかき混ぜて攪拌する作業を繰り返し行う。米のみが攪拌されて押圧力が直接伝わり、米が抑え付けられた状態で米の粒同士や攪拌部１３の網とこすれてもみ洗いされて表面からヌカやゴミが取り除かれる。このため、使用者が手を水に浸すことがなく、米が容器の中で発生した水流で流動して押圧力が伝わらず十分にもみ洗いできないことがなく、米を容易に攪拌して効果的に研ぐことができる。また、米保持部１２の平坦状部分が容器の内側底面に密着するので、攪拌した際に平坦状部分と内側底面との間に挟まり米が割れて崩れてしまうことがなく、研ぐことが可能となる。
【００２７】
また、米を攪拌部１３の網の目で抑え付ける様にしてかき混ぜて攪拌する作業を行うことにより、米保持部１２と容器の内壁面とが衝突することがあっても、弾性部材１２ａを介して衝突し、この弾性部材１２ａが弾性変形して衝撃を吸収するため、米保持部１２や容器の内壁面が傷付けずに使用することができる。
【００２８】
なお、米研ぎ具１は、攪拌部１３の網の目を米が通り抜けないため、しゃもじとして食事の際に米びつ等の容器内に収容し炊飯を行った米を米保持部１２に所定量分載せて保持し、茶碗等に盛ることも可能である。
【００２９】
（第２の実施の形態）
本考案に係る米研ぎ具を実施するための第２の実施の形態を、図面を参照して具体的に説明する。図２（ａ）、（ｂ）は、本考案の第２の実施の形態における米研ぎ具２の構成を示す説明図である。この米研ぎ具２は、使用者が握って持つための柄２１と、食事の際に米びつ等の容器内に収容した炊飯を行った米を所定量分保持して茶碗等に盛るための米保持部２２とが連設して構成されている。
【００３０】
米保持部２２には、一部の領域に、容器内に収容した炊飯前の米を攪拌して研ぐための攪拌部２３が形成されている。攪拌部２３は、米保持部２２の一部の領域に開けられた開口部に網を張って設けて形成されており、この網の目の間隔は米の粒の横方向の幅よりも小さい間隔であり、攪拌部２３により米を攪拌した際には米の粒が網の目に引っ掛かって通り抜けないようになっている。また、攪拌部２３の網の目の線が交差する各交差部分には、図２（ｂ）に示すように、攪拌部２３の網の表面に垂直に突起する突起部２３ａが設けられている。この突起部２３ａは、例えば米の粒の縦方向の長さよりも若干長い程度に成形されており、攪拌部２３により米の攪拌がされると米の粒の表面に対して十分にこすれるようになっている。攪拌部２３は、例えば米保持部２２と同様のプラスチック等の材料をそのまま成形して形成され米保持部２２と一体的となっていてもよい。また、米保持部２２と異なる金属等の材料を網の形状に成形したものを開口部に嵌め込んで設けられていても良い。
【００３１】
米研ぎ具２の柄２１、米保持部２２、弾性部材２２ａ等のその他の構成は、第１の実施の形態における米研ぎ具１の柄１１、米保持部１２、弾性部材１２ａと同様であり説明を省略する。
【００３２】
続いて、第２の実施の形態における米研ぎ具２の作用について詳細に説明する。炊飯前の食事の準備等を行うときに、容器の中に洗米等が行われていない米が計量され収容されて米研ぎ作業を行う際に、使用者は米研ぎ具２の柄２１を手に持って米保持部２２の先端部分から平坦状部分が容器の内側底面に密着するように米の中に差し込み、米を攪拌部２３の網の目で抑え付ける様にしてかき混ぜて攪拌する作業を繰り返し行う。
【００３３】
すると、水が網の目を通り抜けて攪拌されず、米のみが攪拌されて使用者の押圧力が直接伝わり、米が抑え付けられた状態で米の粒同士や攪拌部２３の網とこすれてもみ洗いされる。また、攪拌部２３でかき混ぜられて米が網の目の各交差部分の突起部２３ａと衝突してこすれてもみ洗いされる。米が攪拌部２３の網、突起部２３ａと押圧力が伝わった状態でこすれて表面からヌカやゴミが取り除かれる。米の表面が研磨されて研がれる。
【００３４】
その後は、第１の実施の形態と同様にして作業を行っていき、米研ぎ作業を終了する。
【００３５】
このように、本実施の形態における米研ぎ具２では、米研ぎ作業で米を攪拌部２３の網の目で抑え付ける様にしてかき混ぜて攪拌する作業を繰り返し行う。米のみが攪拌されて押圧力が直接伝わり、米が抑え付けられた状態で米の粒同士や攪拌部２３の網とこすれると共に、攪拌部２３でかき混ぜられて米が網の目の各交差部分の突起部２３ａと衝突してこすれてもみ洗いされて表面からヌカやゴミがより効果的に取り除かれる。このため、米が容器の中で発生した水流で流動して押圧力が伝わらず十分にもみ洗いできないことがなく、米を容易に攪拌して効果的に研ぐことができる。また、米保持部２２の平坦状部分が容器の内側底面に密着するので、米が割れて崩れてしまうことがなく、研ぐことが可能となる。
【００３６】
（他の実施の形態）
第２の実施の形態において、攪拌部２３の網の目の線が交差する各交差部分に設けられた突起部２３ａは、米保持部２２の平板状表面に垂直に突起して設けられているが、図３に示すように、先端部分が尖形状ではなく、球形状に成形された突起部２３ｂが設けられていても良い。このような形状とすることにより、球形状の先端部分が多くの米の粒の表面と衝突してこすれてもみ洗いされ、表面からヌカやゴミがより効果的に取り除かれる。
【００３７】
第１の実施の形態において、攪拌部１３は、線が互いに交差する網を張って設けて形成されているが、図５に示すように、線が平行に複数張られて設けて形成されていてもよい。この線の間隔は米の粒の横方向の幅よりも小さい間隔で平行に張られており、攪拌部１３により米を攪拌した際には米の粒が線の間隙に引っ掛かって通り抜けないようになっている。
【００３８】
また、米研ぎ具１、２は、図６に示すように、柄１１、２１と米保持部１２、２２との連設部分が所定の角度に折れ曲がって構成されていても良い。このような構成により、使用者が柄１１、２１を傾ける等をしなくても米保持部１２、２２が米に対して傾斜した状態で差し込まれ、かき混ぜたときにより効果的にこすれてもみ洗いされる。
【図面の簡単な説明】
【００３９】
【図１】第１の実施の形態における米研ぎ具１の構成を示す説明図である。
【図２】第２の実施の形態における米研ぎ具２の構成を示す説明図である。
【図３】他の実施の形態における米研ぎ具２の構成を示す説明図である。
【図４】第１の実施の形態における米研ぎ具１を使用した状態を示す説明図である。
【図５】他の実施の形態における米研ぎ具２の構成を示す説明図である。
【図６】他の実施の形態における米研ぎ具１、２の構成を示す説明図である。
【符号の説明】
【００４０】
１、２  米研ぎ具
１１、２１  柄
１２、２２  米保持部
１２ａ、２２ａ  弾性部材
１３、１４、２３  攪拌部
２３ａ、２３ｂ  突起部
【図１】
0003120786.tif 000003
【図２】
0003120786.tif 000004
【図３】
0003120786.tif 000005
【図４】
0003120786.tif 000006
【図５】
0003120786.tif 000007
【図６】
0003120786.tif 000008